(57)【要約】【課題】手首部を腕端部に対して曲げても直ぐ真っ直ぐに戻りやすい問題点があった。【解決手段】腕端部と手首部とを可動可能に連結しているディスプレイ用トルソの手首構造において、腕端部側に一部が固定されたスプリングを設けるとともに、スプリングの端部に回動連結部を形成し、回動連結部と回動可能に連結される手首連結部材を設け、手首連結部材が両端に回動連結部を有するピン部材から成り、一端でスプリングの回動連結部と回動自在に連結するとともに、手首部に設けられた回動連結部に回動自在に連結している。また、手首連結部材が、一端に回動連結部を有するとともに他端に手首部と固定して連結する固定連結部を有するディスプレイ用トルソの手首構造による。【選択図】  図１
2008023170.tif 000002
【特許請求の範囲】
【請求項１】
腕端部と手首部とを可動可能に連結しているディスプレイ用トルソの手首構造において、
腕端部側に一部が固定されたスプリングを設けるとともに、スプリングの端部に回動連結部を形成し、回動連結部と回動可能に連結される手首連結部材を設け、手首連結部材の一部が手首部の一部と連結していることを特徴とするディスプレイ用トルソの手首構造。
【請求項２】
手首連結部材が、両端に回動連結部を有するピン部材から成り、一端でスプリングの回動連結部と回動自在に連結するとともに、手首部に設けられた回動連結部に回動自在に連結している請求項１に記載のディスプレイ用トルソの手首構造。
【請求項３】
手首連結部材が、一端に回動連結部を有するとともに他端に手首部と固定して連結する固定連結部を有する請求項１に記載のディスプレイ用トルソの手首構造。
【発明の詳細な説明】
【技術分野】
【０００１】
この発明は、マネキン等のディスプレイ用トルソの手首構造に関する。
【背景技術】
【０００２】
ディスプレイ用トルソの手首構造は、固定式と可動式の２種類あり、一般的に可動式の方が自由にポーズを決められるため好まれている。可動式の手首構造としては、従来図３及び図４に示すように腕部６１の端部６１０に、腕部６１とは別体の手首部６２を腕部６１に対して回動自在に取り付けていた。
【０００３】
腕部６１の端部６１０と手首部６２の回動自在な連結構造は、図３及び図４に示すように、腕部６１の端部６１０に固定ピン６６等によって固定されたスプリング６３の手首側先端をフック形状の係止部６４として形成し、係止部６４は手首部６２に固定されて設けられる係止ピン６５に係止される。このような構造である手首部６２は、図４のように腕部６１の端部６１０に対して矢印のように回動させていた。
【発明の開示】
【発明が解決しようとする課題】
【０００４】
しかし上述した従来の可動式のディスプレイ用トルソの手首構造であると、回動することはできるが、手首部６２をスプリング６３によって腕部６１の端部６１０方向へ強力に引きつけ付勢していないと、図３のように手首部６２が腕部６１の端部６１０に対して直ぐ直線的な連結に戻ってしまう問題点があった。
【課題を解決するための手段】
【０００５】
上記課題を解決するために、腕端部と手首部とを可動可能に連結しているディスプレイ用トルソの手首構造において、
腕端部側に一部が固定されたスプリングを設けるとともに、スプリングの端部に回動連結部を形成し、回動連結部と回動可能に連結される手首連結部材を設け、手首連結部材の一部が手首部の一部と連結していることを特徴とするディスプレイ用トルソの手首構造を提案する。
【０００６】
また、手首連結部材が、両端に回動連結部を有するピン部材から成り、一端でスプリングの回動連結部と回動自在に連結するとともに、手首部に設けられた回動連結部に回動自在に連結している０００５欄に記載のディスプレイ用トルソの手首構造を提案する。
【０００７】
更に、手首連結部材が、一端に回動連結部を有するとともに他端に手首部と固定して連結する固定連結部を有する０００５欄に記載のディスプレイ用トルソの手首構造を提案する。
【発明の効果】
【０００８】
この発明によれば、手首部の腕端部に対する回動が容易になるとともに、回動後の手首姿勢も容易に保つことができるようになった。
【０００９】
また、請求項２に係る発明では、手首連結部材が、一端に回動連結部を有するとともに他端に手首部と固定して連結する固定連結部を有するため、手首部の腕端部に対する回動が容易になるとともに、回動後の手首姿勢も容易に保つことができ、かつ強度が非常に向上した。
【発明を実施するための最良の形態】
【００１０】
この発明のディスプレイ用トルソの手首構造の第１実施形態を示す内部説明図である図１に基づいて説明する。
【００１１】
この発明のディスプレイ用トルソの手首構造の第１実施形態は、腕端部１と手首部２とを可動可能に連結した構造を有し、スプリング３と、手首連結部材４ａと、係止ピン５とをそれぞれ回動自在に連結してなる。
【００１２】
スプリング３は、腕端部１側の一部が腕端部１に固定されており、この実施形態では腕端部１の固定ピン１０に固定されている。スプリング３の手首側端部にはフック状の第１回動連結部３０を腕端部１の空洞１１内の位置に形成する。スプリング３の第１回動連結部３０は、ピン部材からなる手首連結部材４ａの腕側端部に形成されるフック状の第２回動連結部４０と回動自在に連結している。
【００１３】
手首連結部材４ａは、両端部にフック状の第２回動連結部４０と、第３回動連結部４１を形成しており、腕端部１の空洞１１と手首部２の空洞２０に跨って配置されている。すなわち、手首連結部材４ａの第２回動連結部４０は、腕端部１の空洞１１内で第１回動連結部３０と回動自在に係合し、第３回動連結部４１は手首２の空洞２０内で係止ピン５と回動自在に係合している。
【００１４】
係止ピン５は、手首部２の空洞２０内に略中央付近に設けられている。
【００１５】
この発明のディスプレイ用トルソの手首構造の第１実施形態は、上述のように構成されているため、回動係止部分がスプリング３の第１回動連結部３０と手首連結部材４ａの腕側端部に形成されるフック状の第２回動連結部４０、及び手首連結部材４ａの手首側端部に形成されるフック状の第３回動連結部４１と手首２の空洞２０内に挿入されている係止ピン５という２個所にある。したがってその作用は、手首部２が回動しやすいとともに、そのままの角度で静止しやすい構造になった。
【００１６】
次に、この発明のディスプレイ用トルソの手首構造の第２実施形態を示す内部説明図である図２に基づいて説明する。
【００１７】
この発明のディスプレイ用トルソの手首構造の第２実施形態は、腕端部１と手首部２とを可動可能に連結した構造を有し、スプリング３と、手首連結部材４ｂとをそれぞれ回動自在に連結してなる。
【００１８】
スプリング３は、腕端部１側の一部が腕端部１に固定されており、この実施形態では腕端部１の固定ピン１０に固定されている。スプリング３の手首側端部にはフック状の第１回動連結部３０を腕端部１の空洞１１内の位置に形成する。スプリング３の第１回動連結部３０は、ピン部材からなる手首連結部材４ｂの腕側端部に形成されるフック状の第２回動連結部４０と回動自在に連結している。
【００１９】
手首連結部材４ｂは、一端にフック状の第２回動連結部４０を有するとともに他端に手首部２の固定部２１と固定して連結する板状からなる固定連結部４２からなる。手首連結部材４ｂは腕端部側の第２回動連結部４０と、手首部側の固定連結部４２との間は細い棒状体で形成されており、腕端部１の空洞１１と手首部２の空洞２０に跨って配置されている。すなわち、手首連結部材４ｂの第２回動連結部４０は、腕端部１の空洞１１内で第１回動連結部３０と回動自在に係合し、固定連結部４２は手首部２の空洞２０内で手首部２の固定部２１とボルト等４３によって手首部２に固定されている。
【００２０】
この発明のディスプレイ用トルソの手首構造の第２実施形態は、上述のように構成されているため、回動係止部分がスプリング３の第１回動連結部３０と手首連結部材４ｂの腕側端部に形成されるフック状の第２回動連結部４０にあるとともに、手首連結部材４ｂの板状の固定連結部４２が手首部側端部で手首部２内に固定されているため、その作用は、手首部２が回動しやすいとともに、そのままの角度で静止しやすいとともに、構造がより堅固になった。
【産業上の利用可能性】
【００２１】
この発明は、衣装の展示等に使用するディスプレイ用トルソに利用される。
【図面の簡単な説明】
【００２２】
【図１】この発明のディスプレイ用トルソの手首構造の第１実施形態を示す内部断面説明図。
【図２】この発明のディスプレイ用トルソの手首構造の第２実施形態を示す内部断面説明図。
【図３】従来のディスプレイ用トルソの手首構造を示す内部断面説明図。
【図４】従来のディスプレイ用トルソの手首構造を示す内部断面説明図。
【符号の説明】
【００２３】
１  腕端部
１０  固定ピン
１１  腕端部の空洞
２  手首部
２０  手首部の空洞
２１  固定連結部
３  スプリング  
３０  第１回動連結部
４ａ  手首連結部材
４０  第２回動連結部
４１  第３回動連結部
４ｂ  手首連結部材
４０  第２回動連結部
４２  板状の固定連結部
４３  固定連結部
５  係止ピン
【図１】
2008023170.tif 000003
【図２】
2008023170.tif 000004
【図３】
2008023170.tif 000005
【図４】
2008023170.tif 000006